(57)【要約】【課題】穿刺針を安全且つ正確に穿刺できる手術補助器具を提供する。【解決手段】穿刺針を保持する柄部に着脱可能に装着するアームと、該アームの先端部に設けられ前記穿刺針に対向して回動する回動アームと、該回動アームの先端に設けられ前記穿刺針を誘導する目標部位とからなり、この回動アームを回動可能に保持する回転軸は、前記アームの先端部に設けられると共に、該アームに装着された穿刺針の先端部の穿刺方向に対して垂線上の位置とされる。この手術補助器具を用いて、尿失禁手術ならびに骨盤内臓器脱手術に使用される穿刺針を正確に穿刺することが可能となる。【選択図】        図１
2009183502.tif 000002
【特許請求の範囲】
【請求項１】
穿刺針の穿刺を誘導する器具であって、該穿刺針を保持する柄部に着脱可能に装着するアームと、該アームの先端部に設けられ前記穿刺針に対向して回動する回動アームと、該回動アームの先端に設けられ前記穿刺針を誘導する目標部位とからなる手術補助器具。
【請求項２】
前記回動アームを回動可能に保持する回転軸は、前記アームの先端部に設けられると共に、該アームに装着された穿刺針の先端部の穿刺方向に対して垂線上の位置とされることを特徴とする請求項１記載の手術補助器具。
【請求項３】
前記手術補助器具は尿失禁手術に使用される穿刺針用補助器具であることを特徴とする請求項１又は２記載の手術補助器具。
【請求項４】
前記手術補助器具は骨盤内臓器脱手術に使用される穿刺針用補助器具であることを特徴とする請求項１又は２記載の手術補助器具。
【発明の詳細な説明】
【技術分野】
【０００１】
本発明は、女性の尿失禁を治療する手術ＴＶＴ（Ｔｅｎｓｉｏｎ−ｆｒｅｅ  Ｖａｇｉｎａｌ  Ｔａｐｅ）、ＴＯＴ（Ｔｒａｎｓ  Ｏｂｔｕｒａｔｏｒ  Ｔａｐｅ）ならびに骨盤臓器脱手術ＴＶＭ（Ｔｅｎｓｉｏｎ−ｆｒｅｅ  Ｖａｇｉｎａｌ  Ｍｅｓｈ）における穿刺針に使用する手術補助器具に関するものである。
【背景技術】
【０００２】
女性の尿失禁は、その多くが腹圧性尿失禁とされている。この腹圧性尿失禁の女性は笑ったり、咳、くしゃみ及び標準的な運動などの通常の日常的な活動及び移動中に尿失禁する。
【０００３】
腹圧性尿失禁は尿道及び恥骨に結合する組織または靭帯の機能的な欠陥によって引き起こされ、その共通する要因としては、骨盤内の筋肉の反復性の緊張、出産、骨盤内の筋肉の緊張の喪失、及びアストロゲンの喪失がある。この腹圧性尿失禁に対する外科的治療法としては、ＴＶＴ（Ｔｅｎｓｉｏｎ−ｆｒｅｅ  Ｖａｇｉｎａｌ  Ｔａｐｅ）手術が主流とされ、恥骨尿道靭帯という恥骨の両側と尿道の下を通る靭帯を想定し、ポリプロピレン繊維からなるテープを用いＵ字型に補強するものであるが、このテープを送達するためには膣を通して下腹部にいたる２つの比較的太く長寸の先端が尖ったシャフトを使用する必要があり、このシャフトを挿入する際には手探りによる作業となり膀胱、血管、筋肉、及び神経などの骨盤内の構造を損傷する虞があった。また、これらの損傷を防止するために膀胱鏡による視覚化を繰り返し行なう必要があり、手術に長時間を必要とするという欠点を有していた。
【０００４】
この問題点の対策として各種の提案がなされているが、いまだ根本的な解決手段とはなっていない（例えば特許文献１参照。）。
【０００５】
そこで、現在上記ＴＶＴ手術に替わる新たな手術法としてＴＯＴ（Ｔｒａｎｓ  Ｏｂｔｕｒａｔｏｒ  Ｔａｐｅ）手術が提案されている。この手術法は、下記の工程により構成される。
【０００６】
（１）麻酔を行なった後左右一対の閉鎖孔皮膚と膣前壁を切開する。（膣前壁は指が入るくらいの皮下トンネルをほる。）
（２）専用の穿刺針を閉鎖孔から穿刺し、恥骨の裏を通して膣前壁に出す。（この際指を皮下トンネルに入れ、穿刺針を誘導する。）
（３）穿刺針を膣前壁から膣に誘導させた後、穿刺針の先端部の溝にテープをかけ、穿刺針を皮膚外に引抜いてテープを閉鎖孔より引き出す。
（４）以上の操作を、他方の閉鎖孔側にも行い同様にテープを引き出す。
（５）閉鎖孔から引き出したテープの張力を微調整した後、皮膚、膣を縫合し手術終了。
尚、上記の手術法は閉鎖孔から膣に針を出す（アウトサイドイン）方法を示しており、逆に膣から閉鎖孔に出す（インサイドアウト）方法も同様な工程から実施される。
【０００７】
しかしながら、上記のＴＯＴ手術の場合、専用の穿刺針（例えば螺旋状の針）を使用して盲目的に穿刺するものであり、従来のＴＶＴと比較し針を通す距離が短く安全であるとされるが、未熟な執刀医の場合穿刺ルートが正確に把握できず、膀胱、血管、腸管などを損傷し、重篤な合併症を起こす危険がある。
【０００８】
また、これら尿失禁と同様に女性が罹る別の疾患として骨盤臓器脱がある。この疾患は骨盤底筋群によってハンモック状に支えている子宮や膀胱などの骨盤臓器が、老化などによる骨盤底筋群の弱体によって膣から逸脱する疾患であり、いわゆる子宮脱或いは膀胱瘤である。この骨盤臓器脱の修復方法として従来は膣壁を切開して逸脱した部分を縫い縮める補強膣壁縫縮手術が行なわれていたが、近年これに替わる技術として骨盤臓器脱手術ＴＶＭ（Ｔｅｎｓｉｏｎ−ｆｒｅｅ  Ｖａｇｉｎａｌ  Ｍｅｓｈ）が採用され骨盤底全体をポリプロピレン製メッシュでハンモック状に支え、膣からの骨盤臓器の脱出を防止することが可能となった（例えば特許文献２参照。）。
【０００９】
【特許文献１】特表２００４−５０９６８５号公報
【特許文献２】特表２００６−５０６１０４号公報
【発明の開示】
【発明が解決しようとする課題】
【００１０】
しかしながら上記のＴＶＭ手術も尿失禁を治療する手術ＴＶＴ、ＴＯＴと同様に専用の穿刺針を使用して盲目的な穿刺作業を必要とするものであり、未熟な執刀医の場合穿刺ルートが正確に把握できず、膀胱、血管、腸管などを損傷し、重篤な合併症を起こす危険がある。
【００１１】
しかも、穿刺している針がどこを通過しているか執刀医以外には分りにくく、技術指導が困難であり、針を正確に穿刺する技術を習得するためには長時間を要するという問題点もある。
【００１２】
上記の問題点に鑑み本発明者は、鋭意研究の結果尿失禁手術ＴＯＴ、ＴＶＴならびに骨盤臓器脱手術ＴＶＭにおいて穿刺針を正確に穿刺し、誘導を可能とする手術補助器具を提供するにいたった。
【課題を解決するための手段】
【００１３】
このため本発明の手術補助器具は、穿刺針を保持する柄部に着脱可能に装着するアームと、該アームの先端部に設けられ前記穿刺針の穿刺方向に対向して回動する回動アームと、該回動アームの先端に設けられ前記穿刺針を誘導する目標部位とからなることを第１の特徴とする。
【００１４】
また、前記回動アームを回動可能に保持する回転軸は、前記アームの先端部に設けられると共に、該アームに装着された穿刺針の先端部に対して垂線上の位置とされることを第２の特徴とする。
【００１５】
そして、前記手術補助器具は尿失禁手術に使用される穿刺針用補助器具であることを第３の特徴とする。
【００１６】
しかも、前記手術補助器具は骨盤内臓器脱手術に使用される穿刺針用補助器具であることを第４の特徴とする。  
【００１７】
本発明に係る手術補助器具によれば、尿失禁手術ＴＶＴ、ＴＯＴ用の穿刺針ばかりでなく、骨盤内臓器脱手術ＴＶＭ用の穿刺針にも対応が可能であり、材質は金属、プラスチック等が適宜選択される。尚、本発明において目標部位の形状は限定されず、例えばＶ字形状や円形の挿通孔など前記穿刺針を誘導できる形状であればよい。
【発明の効果】
【００１８】
本発明に係る手術補助器具によれば、穿刺針を保持する柄部に着脱可能に装着するアームと、該アームの先端部に設けられ前記穿刺針の穿刺方向に対向して回動する回動アームと、該回動アームの先端に設けられ前記穿刺針を誘導する目標部位とから構成されているため、穿刺針を常に一定のコースに沿って穿刺することができるため、未熟な執刀医であっても正確な穿刺ができ膀胱、血管、腸管などを損傷することなく、重篤な合併症を起こす危険もないという優れた効果を有する。
【００１９】
また、前記回動アームを回動可能に保持する回転軸は、前記アームの先端部に設けられると共に、該アームに装着された穿刺針の先端部に対して垂線上の位置とされており、執刀医の穿刺によって穿刺針の先端が回転軸回りに回動して前記目標部位へと正確に移動するため、この手術補助器具を使用する手術方法によって執刀医以外でも針の通過位置が確認できるため技術指導がし易く、また技術の習得が短時間で可能であるという効果を有する。
【００２０】
そして、本発明に係る手術補助器具は尿失禁手術や骨盤内臓器脱手術に使用する穿刺針による穿刺作業に好適に使用されるという効果を有する。
【発明を実施するための最良の形態】
【００２１】
以下、本発明を実施例に基づいて説明するが、本発明が本実施例に限定されないことは言うまでもない。
図１は本発明に係る手術補助器具を示す説明図、図２は本発明の手術補助器具を穿刺針に装着した状態を示す斜視図、図３は従来のＴＶＴ手術を示す説明図、図４は本発明の手術補助器具を用いたＴＶＴ手術を示す説明図、図５はＴＶＴ手術後を示す説明図、図６はＴＶＭ手術に使用する穿刺針とメッシュを示す説明図、図７は本発明の手術補助器具をＴＶＭ用穿刺針に装着した状態を示す説明図、図８は本発明の手術補助器具を用いたＴＶＭ手術による膣前壁の補強の際の穿刺状態を示す説明図、図９は本発明の手術補助器具を用いたＴＶＭ手術による膣後壁の補強の際の穿刺状態を示す説明図、図１０はＴＶＭ手術によって配置されたメッシュを示す説明図である。
【実施例１】
【００２２】
図１は本発明に係る手術補助器具１を示しており、図１（ａ）は平面図、図１（ｂ）は左側面図、図１（ｃ）は上部側面図、図１（ｄ）は回動アーム及び目標部位側面図である。
図に示すように本発明の手術補助器具１は、Ｌ字形状のアーム２と、アーム２の基部に設けられた接続部３と、アーム２の先端に設けられた回転軸５を介して回動する円弧形状の回動アーム４と、回動アーム４の先端に設けられた目標部位６とから構成されている。このアーム２の先端部７は側面視コの字形状に形成され、回動アーム４の基部である円板型接続部８を上下方向から回動可能に保持し、先端部７に設けられたボールプランジャー９によって円板型基部８の回動を規制する。またアーム２の基部に設けられた接続部３は、後述する穿刺針のハンドルを挿通して保持し、アーム２と穿刺針とが一体となって回転軸５を介して回動し、穿刺針の先端部を回動アーム４の先端に設けられた目標部位６のターゲット部１０に誘導する。尚、手術補助器具１に使用される素材としては、ステンレス等の耐腐食性の金属やプラスチックが使用される。
【００２３】
図２は穿刺針１１を本発明の手術補助器具１に装着した状態を示しており、本実施例においてはＴＶＴ手術に使用される穿刺針を例として説明する。図に示すように、穿刺針１１の基部にはポリプロピレン製メッシュテープ１２が取り付けられ、専用ハンドル１３に装着自在とされており、手術補助器具１の接続部３に装着されて固定される。この際、アーム２の先端に設けられた回転軸５は穿刺針１１の先端部の穿刺方向に対して垂線上の位置とされており、穿刺針１１は回転軸５回りの回動によって必ず目標部位６のターゲット部１０に誘導される。尚、本実施例においては板状の目標部位６に円形挿通孔からなるターゲット部１０を形成したが、目標部位６およびターゲット部１０は他の形状であってもかまわない。
【００２４】
上記の構成からなる手術補助器具１の使用例を、尿失禁手術（ＴＶＴ手術）を説明する図面に従って詳細に説明する。図３は従来のＴＶＴ手術を示す説明図であり、図３（ａ）は穿刺前を示す説明図、図３（ｂ）は穿刺状態を示す説明図である。そして図４は本発明の手術補助器具１を用いたＴＶＴ手術を示す説明図であり、図４（ａ）は穿刺前を示す説明図、図４（ｂ）は穿刺状態を示す説明図である。また、図５はＴＶＴ手術後を示す説明図である。
【００２５】
図３に示すように従来のＴＶＴ手術は、患者の下腹部皮膚１４（恥骨１５上の左右）と膣前壁１６を予め鋏で切開し、膣前壁１６には指が入るくらいの皮下トンネルを掘り、この皮下トンネルの位置に専用ハンドル１３に装着した穿刺針１１をあてる。そして穿刺針１１を盲目的に穿刺して上記の切開した一方の下腹部皮膚１４位置まで通してメッシュテープ１２を通す。同様に穿刺針１１を他方の下腹部皮膚１４位置まで通してメッシュテープ１２を通し、左右の下腹部皮膚１４位置に引き出したメッシュテープ１２を微調整して位置を決定し、切開した皮膚１４及び膣前壁１６を縫合することで手術が終了する（図５参照）。この従来法によるＴＶＴ手術の場合、穿刺針１１を膣前壁１３の皮下トンネルから下腹部皮膚１４位置まで盲目的に穿刺するため、膀胱損傷や血管損傷などの合併症の危険性がある。
【００２６】
これに対して、図４に示す本発明の手術補助器具１を使用したＴＶＴ手術の場合、まず専用ハンドル１３に装着した穿刺針１１を手術補助器具１の接続部３に取り付け、上記従来のＴＶＴ手術と同様に、皮下トンネルの位置に穿刺針１１をあてる。次に回動アーム４の先端に設けられた目標部位６を下腹部皮膚の切開した位置にあてる。そして、手術補助器具１のアーム２と穿刺針１１を回転軸５を中心として一体に回動させて皮下トンネルの位置から穿刺を行なうと、穿刺針１１は確実に目標部位６位置に到達する。このため手術を行なう執刀医は、穿刺針１１を盲目的に穿刺することなく正確に穿刺を行なうことができる。また未熟な執刀医であっても正確に穿刺を行なうことができるため膀胱損傷や血管損傷などの合併症の危険性が極めて低い。尚、穿刺以降の手術内容に関しては上記従来の手術と同様であり省略する。
【００２７】
上記の構成からなる本発明の手術補助器具１は尿失禁手術（ＴＶＴ手術）において好適に使用されるが、上述したＴＯＴ手術においても同様に使用することが可能であり、ＴＯＴ手術用の穿刺針の構造に合わせて様々な形態に変更される。例えば、上記の実施例の手術補助器具は穿刺針を接続するものであるが、予め穿刺針と手術補助器具が一体化されたものであってもかまわない。
【実施例２】
【００２８】
次に、図６乃至図１０に従って本発明による手術補助器具を用いた骨盤内臓器脱手術（ＴＶＭ手術）について説明する。ＴＶＭ手術は、子宮や膀胱などの骨盤臓器を、ポリプロピレン製メッシュでハンモック状に支え、膣からの骨盤臓器の脱出を防止するものであり、上述した特許文献２等に示す公知の手術方法によって膣前面及び膣後面をメッシュによって補強するものである。
【００２９】
図６はＴＶＭ手術に使用する穿刺針とメッシュを示しており、図６（ａ）はＴＶＭ手術用の穿刺針を示し、図６（ｂ）はこの穿刺針の先端に糸を通した状態を示し、図６（ｃ）はＴＶＭ手術に使用するメッシュを示している。また、図７は手術補助器具を穿刺針に接続した状態を示している。図に示すように、ＴＶＭ手術に使用する穿刺針２０は先端部に挿通孔２１を形成した湾曲状の針からなり、その基部にはハンドル２２を有している。またメッシュ２３は膣壁を補強する本体部２４と、固定用の４本の紐部２５とからなり、紐部２５にはそれぞれビニル製カバー２６が着脱可能に取り付けられる。この穿刺針２０とメッシュ２３の使い方を説明すると、まず手術補助器具２７をこのハンドル２２に接続して穿刺を行い、穿刺針２０の先端部の挿通孔２１に糸材２８の一端を通して連結し、穿刺針２０と共に穿刺位置から引き出す。次に糸材２８の他端をメッシュ２３の紐部２５に繋いで、穿刺位置から糸材２８を牽引して紐部２５を引き出す。この際ビニル製カバー２６によって紐部２５の引き出しがスムーズに行なえる。尚、上記のメッシュ２３は膣前壁の補強に使用される形状であり、膣後壁の補強に使用する場合には異なる形状とされる。
【００３０】
次に図７乃至図１０に従って、本発明の手術補助器具を使用するＴＶＭ手術の穿刺作業を説明する。図８は膣前壁の補強の際の穿刺状態を示しており、図８（ａ）は手術補助器具２７を膣切開部に挿入して穿刺針２０を閉鎖孔より挿入する状態を示し、図８（ｂ）は穿刺針２０と手術補助器具２７を一体に回動させて穿刺針２０の先端部を手術補助器具２７の目標部位２９へ誘導する状態を示している。また図９は膣後壁の補強の際の穿刺状態を示しており、図９（ａ）は手術補助器具２７を膣切開部に挿入して穿刺針２０を肛門切開部より挿入する状態を示し、図９（ｂ）は穿刺針２０と手術補助器具２７を一体に回動させて穿刺針２０の先端部を手術補助器具２７の目標部位２９へ誘導する状態を示している。そして図１０はＴＶＭ手術によって配置されたメッシュの位置を示しており、図１０（ａ）は膣前壁面を補強した状態を示し、図１０（ｂ）は膣後壁面を補強した状態を示している。尚、本実施例に使用される手術補助器具２７の形状は上記実施例１と同等であるが、目標部位２９の形状はＶ字型に形成されている。
【００３１】
（膣前壁補強手術）
まず、膣前壁３０を鋏によって切開し、メッシュ２３が入るスペースを十分に空け、また閉鎖孔３１にそれぞれ左右２ヶ所切開を行なう。そして手術補助器具２７を接続した穿刺針２０の先端部を切開された閉鎖孔３１の位置に当て、手術補助器具２７の目標部位２９を執刀医の指をあてた状態で膣前壁３０の開口部３２位置に挿入して配置する。そして、穿刺針２０と手術補助器具２７を回転軸３３を中心に一体に回動させながら、穿刺針２０を閉鎖孔３１から穿刺すると、穿刺針２０の先端部は必ず目標部位２９の位置に到達する。この穿刺作業の後は上記したメッシュ２３の紐部２５の引き出し作業がなされ、残りの３箇所の穿刺作業と紐部２５の引き出し作業によってメッシュ２３の本体部２４が膣前壁３０の適宜な位置に配置される（図１０参照）。
【００３２】
（膣後壁補強手術）
膣後壁３４を鋏によって切開し、メッシュ２３が入るスペースを仙棘靭帯３５まで十分空け、また肛門の両外側３ｃｍ、背側３ｃｍの位置をそれぞれ切開して肛門切開部とする。そして手術補助器具２７を接続した穿刺針２０の先端部を切開された肛門切開部（図示せず）の位置に当て、手術補助器具２７の目標部位２９を執刀医の指をあてた状態で膣後壁３４の開口部（図示せず）位置に挿入して配置する。そして、穿刺針２０と手術補助器具２７を回転軸３３を中心に一体に回動させながら、穿刺針２０を肛門切開部から穿刺すると、穿刺針２０の先端部は必ず目標部位２９の位置に到達する。この穿刺作業の後処理は上記した膣前壁補強手術と同等であり省略する。尚、膣後壁補強用のメッシュ２３は図１０に示すように紐部２５が左右それぞれ１本の形状となっている。
【００３３】
上記構成の手術補助器具２７を使用してＴＶＭ手術を行なえば、未熟な執刀医であっても穿刺ルートを正確に把握することができ、膀胱、血管、腸管などを損傷することなく、重篤な合併症を併発する危険も少ない。しかも、穿刺している穿刺針がどこを通過しているかが執刀医以外でも分りやすいため、技術指導も容易であり、穿刺針を正確に穿刺する技術を短時間で習得できる。
【００３４】
以上、本発明の手術補助器具によれば、上記の何れの方法であっても穿刺針を確実に穿刺することができる。すなわち上記手術補助器具を使用することによって、未熟な執刀医であっても正確に穿刺ルートを把握して穿刺針の穿刺が可能であり、膀胱、血管、腸管などを損傷することなく、重篤な合併症を併発する危険の少ない。しかも執刀医以外でも穿刺針の位置を把握することが可能であり、尿失禁手術ＴＶＴ、ＴＯＴならびに骨盤臓器脱手術ＴＶＭを安全に施行することができると共に、これらの手術の技術指導や技術習得が容易となる。さらに、本発明の手術補助器具は上述した方法によって針を穿刺して糸、カテーテル、メッシュ等を通す作業を必要とする他の手術や手法にも当然応用が可能である。
【図面の簡単な説明】
【００３５】
【図１】本発明に係る手術補助器具を示す説明図である。
【図２】本発明に係る手術補助器具を穿刺針に装着した状態を示す斜視図である。
【図３】従来のＴＶＴ手術を示す説明図である。
【図４】本発明の手術補助器具を用いたＴＶＴ手術を示す説明図である。
【図５】ＴＶＴ手術後を示す説明図である。
【図６】ＴＶＭ手術に使用する穿刺針とメッシュを示す説明図である。
【図７】本発明の手術補助器具をＴＶＭ用穿刺針に装着した状態を示す説明図である。
【図８】本発明の手術補助器具を用いたＴＶＭ手術による膣前壁補強の際の穿刺状態を示す説明図である。
【図９】本発明の手術補助器具を用いたＴＶＭ手術による膣後壁補強の際の穿刺状態を示す説明図である。
【図１０】ＴＶＭ手術によって配置されたメッシュを示す説明図である。
【符号の説明】
【００３６】
１、２７      手術補助器具
２            アーム
３            接続部
４            回動アーム
５、３３      回転軸
６、２９      目標部位
７            先端部
８            円板型接続部
９            ボールプランジャー
１０            ターゲット部
１１、２０      穿刺針
１２            メッシュテープ
１３            専用ハンドル
１４            下腹部皮膚
１５            恥骨
１６、３０      膣前壁
２１            挿通孔
２２            ハンドル
２３            メッシュ
２４            本体部
２５            紐部
２６            ビニル製カバー
２８            糸材
３１            閉鎖孔
３２            開口部
３４            膣後壁
３５            仙棘靭帯
【図１】
2009183502.tif 000003
【図２】
2009183502.tif 000004
【図３】
2009183502.tif 000005
【図４】
2009183502.tif 000006
【図５】
2009183502.tif 000007
【図６】
2009183502.tif 000008
【図７】
2009183502.tif 000009
【図８】
2009183502.tif 000010
【図９】
2009183502.tif 000011
【図１０】
2009183502.tif 000012